(57)【要約】  Ｃｕ−Ｓｎ−Ｂｉ合金層を含む軸受材料と、その構成方法が提供される。合金層は約２％〜約１０％の範囲の気孔率を有している。半分よりも多い気孔が分離され、直接連絡せず、それによって気孔は互いに接続されていない。合金層は、金属基材層に焼結されていてもよく、所望の軸受の応用に望ましいように成形されていてもよい。
2011510170.tif 000002
【特許請求の範囲】
【請求項１】
約２％〜約１０％の範囲の気孔率を有するＣｕ−Ｓｎ−Ｂｉ合金層を備え、半分を超える気孔が分離され、互いに直接連絡せず、それによって前記気孔は互いに接続されていない、軸受材料。
【請求項２】
前記合金層に付けられた金属基材層をさらに備えた、請求項１に記載の軸受材料。
【請求項３】
前記合金は、大きさの異なる個々の粒を備えている、請求項１に記載の軸受材料。
【請求項４】
前記合金は焼結されている、請求項１に記載の軸受材料。
【請求項５】
金属基材層を提供する工程と、
基材層上にＣｕ−Ｓｎ−Ｂｉの合金化された粉末材料層を広げる工程と、
第１の焼結工程において粉末材料層を焼結する工程と、
焼結された粉末材料層を圧縮する工程と、
第２の焼結工程において、圧縮された材料層を焼結する工程とを備えた、軸受材料の構成方法。
【請求項６】
第１の焼結工程は、粉末材料層を予め圧縮することなく実施される、請求項５の方法。
【請求項７】
第２の焼結工程完了時に約２％〜約１０％の範囲の気孔を含むＣｕ−Ｓｎ−Ｂｉの合金粉末材料層をさらに提供する、請求項５の方法。
【請求項８】
さらに、第２の焼結工程完了時に半分を超える気孔が分離され、互いに直接連絡しないことにより、気孔は互いに接続されないようにする、請求項７の方法。
【請求項９】
第２の焼結工程は、合金粉末材料層のための最終処理工程である、請求項５の方法。
【請求項１０】
第１の焼結工程においてＣｕ−Ｓｎ−Ｂｉの合金粉末材料層を焼結する工程と、
焼結された粉末材料層を圧縮する工程と、
第２の焼結工程において、圧縮された材料層を焼結する工程とを備え、得られた焼結材料層は約２％〜約１０％の範囲の気孔率を有し、半分を超える気孔が互いに接続されていない、軸受材料の構成方法。
【請求項１１】
金属基材層を提供する工程と、基材層上に合金粉末材料を広げる工程とを第１の焼結工程よりも前にさらに備えた、請求項１０の方法。
【請求項１２】
第２の焼結工程は合金粉末材料の処理を完了させる、請求項１０の方法。
【請求項１３】
第１の焼結工程は、粉末材料層を予め圧縮することなく実施される、請求項１０の方法。
【請求項１４】
異なった粒子の大きさを有する合金粉末材料層を提供する工程をさらに含む、請求項１０の方法。
【発明の詳細な説明】
【技術分野】
【０００１】
関連出願の相互参照
本出願は、その全体が参照により組み込まれる２００８年１月９日付け出願の米国仮出願Ｎｏ．６１／０２０，０５８の利益を主張する。
【０００２】
発明の背景
１．技術分野
この発明は一般に滑り軸受材料に関し、より特定的には金属基材に固定された合金を有する滑り軸受材料およびその構成方法に関する。
【背景技術】
【０００３】
２．関連技術
従来の滑り軸受およびブッシュは２つの基本的なカテゴリーに分けられることが知られている。比較的柔らかい軸受材料が鋼の硬い基材に固定された本質的に十分に緻密な製品と、焼結された青銅合金粉末からなり、油を吸収し、あるいはＰＴＦＥのような他の材料を包含するように開口し高度に連結した空孔構造を有する高度にポーラスな製品とである。
【０００４】
高度に連結した空孔を有する高い気孔率の軸受は必ずしも好ましいとは限らない。というのは、このような軸受は、ある環境では吸収性が高すぎるからである。開口し互いに連結したポーラスな構造は、青銅粒子の大きさを注意深く制御することにより得られる。焼結した粒子の間の互いに連結した内部空間が最大となるように、この粒子は理想的には同じ大きさである。単一の大きさの青銅粒子を用いることはコストが高い。これは、１回に製造される粒子の比較的小さい割合が、本質的に同じ大きさになるからである。より小さい粒子を含むことは、それらが隙間に移動し、互いに接続された気孔のレベルを低減するため好ましい。
【０００５】
また、本質的に鉛を含まない焼結された粉末金属の軸受材料が知られている。鉛に代えて所定量のビスマスを含む青銅合金の軸受がこれに含まれる。このような材料は、米国特許６，７４６，１５４から知ることができる。これらの軸受は、鋼の基材上に予め合金化されたＣｕＳｎＢｉ粉末を広げ、その材料を圧延圧縮し、圧縮された材料を焼結し、その後第２の圧延および焼結工程を実施することにより、本質的にポーラスフリーな（すなわち気孔率が１％未満の）材料を得ることができる。これらの材料は、材料の緻密化を最大化するために、単一の大きさの粒子から作製されない。
【発明の概要】
【課題を解決するための手段】
【０００６】
発明の概要
滑り軸受（またはブッシュ）は、２％〜約１０％の範囲の気孔率を有するＣｕ−Ｓｎ−Ｂｉ合金を備えている。少なくとも半分を超える気孔が互いに接続されていない。換言すれば、当該材料はＣｕ−Ｓｎ−Ｂｉ合金としては比較的高い気孔率を示す一方、気孔は従来の青銅ブッシュのようには互いに接続されておらず、むしろ気孔がポケットとして機能するように分離しており、開口する気孔がネットワークとなるように繋がっていない。
【図面の簡単な説明】
【０００７】
本発明のこれらの、および他の局面、特徴および利点は、以下の好ましい実施の形態および最良の形態の詳細な説明、添えられた請求の範囲および添付の図面を考慮して、当業者にとって容易に明らかとなるであろう。
【図１】本発明の一の局面にしたがって構成された軸受材料の概略部分側面断面図である。
【図２】図１の軸受材料を構成するための本発明の他の局面に従ったプロセスの概略を示す図である。
【発明を実施するための形態】
【０００８】
好ましい実施の形態の詳細な説明
図面を詳細に参照して、図１は、以下軸受１０と称する滑り軸受材料を示しており、軸受１０は、本発明の好ましい一の局面に従って構成されている。軸受１０は、鋼であり得る金属基材層１２と、Ｃｕ−Ｓｎ−Ｂｉ合金材料の滑り合金粉末層１４とを含んでいる。本発明に従って、滑り層１４は、実質的に互いに結合しない気孔１６を有している。そのため、焼結合金層１４内の大多数の気孔１６は、互いに間隔を有し、それらは分離され互いに連絡せず、それによって吸収性が高くなりすぎることが避けられている。
【０００９】
本発明に従ってこのように制御され、接続されない気孔の合金化された粉末の軸受層１４の製造方法は、図２に概略的に示される。従来の合金化された軸受層の形成方法とは異なり、本発明の方法では、上記背景において説明したように焼結された青銅の油含有軸受のような従来の、コストの高い、単一の大きさの粒子を選択するものではなく、合金化された滑り軸受材料層１４が加工される。具体的には、Ｃｕ−Ｓｎ−Ｂｉ粉末が予め合金化された粉末として採用され、このとき粉末混合物の粒子の個々の大きさは異なっており、そのため製造において経済的である。粉末層１４は、鋼基材帯層１２上に広げられ、第１の焼結段階において焼結部２４にて焼結される。そのため、当該焼結工程は、粉末層１４の第１の圧縮無しで実施され、その結果、滑り軸受の合金化材料層の公知の構成方法に比較して、背景で説明した工程を廃止し、この段階における材料の低い相対的圧縮と硬度とに寄与する。当該第１の焼結段階に続いて、そしてまだ熱い間に、背景で上述したような十分に緻密なＣｕ−Ｓｎ−Ｂｉ軸受に比べて低減された荷重の下で、材料は圧縮部２８にて圧延され、それによって、この段階において焼結された材料のより低い相対的な圧縮および硬度が得られる。当該材料は、次に、第２の焼結段階において焼結部３０にて再度焼結される。第２の焼結工程が完了すると、軸受材料１０はさらなる圧縮無しに使用することができる。
【００１０】
驚いたことに、出願人は、予め合金化されたＣｕ−Ｓｎ−Ｂｉ粉末の粒子の大きさの標準的な混合物は、圧延工程を調整し、焼結工程すなわち第２の焼結よりも後の工程を廃止することにより、比較的気孔率が高く互いに接続した気孔の割合が低いＣｕ−Ｓｎ−Ｂｉ軸受層の作製に使用可能であることを見出した。合金軸受材料層１４は、当該層全体の体積の約２％〜約１０％の気孔率であり、半分を超える、つまり５０％を超える気孔が互いに結合していないという好ましい特性を有している。合金軸受材料層１４は、個々の気孔１６内に油を保持し、それらの気孔は、連絡路によって互いに接続されない状態のように、互いに直接連絡しない状態が維持され、互いに接続された気孔を有する従来の焼結青銅軸受のようにはそれを吸収しない。
【００１１】
圧縮とその結果得られる互いに接続されない多孔質構造１６とは、圧延の速度に影響を受け得るものであって、ラインの速度を下げると好ましい高い気孔率と気孔の低い接続率とが得られることがさらに見出された。
【００１２】
このような軸受材料は、鋼の基材に付けられ、油が含まれる環境下において滑り軸受またはブッシュの軸受材料としての役割を果たす。
【００１３】
ビスマスの存在は、油が枯渇する運転環境が発生した場合における更なる潤滑という有益な効果を有し、軸受に準備される油がどれほど少くてもそれを補う。
【００１４】
明らかに、本発明の多くの改良と変形が上記教示によって可能である。したがって、添付の請求の範囲の範囲内において、本発明は特定的に説明された態様以外の態様でも実施できることが理解されるであろう。
【図１】
2011510170.tif 000003
【図２】
2011510170.tif 000004
【国際調査報告】
2011510170.tif 000005
2011510170.tif 000006
2011510170.tif 000007